(57)【要約】      （修正有）【課題】消費者の肌色に合致した化粧品の選択を容易に行えるようにすること。【解決手段】化粧品の複数のレンジと、肌の少なくとも一つの画像を分析し、分析された肌の明度レベルの識別子の表記を送るように構成された分析システムとを備え、各レンジが肌の肌色の共通レベルに関連した製品のセットを含み、明度レベルを識別子によって識別し、識別子が製品の前記レンジの識別子のうちの一つであるキットを提供する。【選択図】図１
2005169085.tif 000002
【特許請求の範囲】
【請求項１】
化粧品の複数のレンジと、肌の少なくとも一つの画像を分析し、分析された肌の明度レベルの識別子の表記を送るように構成された分析システムとを備え、
各レンジが肌の色の共通レベルに関連した製品のセットを含み、明度レベルを識別子によって識別し、識別子が製品の前記レンジの識別子のうちの一つであること、を特徴とするキット。
【請求項２】
分析システムが、カメラ、好ましくは肌の少なくとも一つの画像を光学的に拡大して取得できるカメラを備えることを特徴とする請求項１に記載のキット。
【請求項３】
カメラが、カラーカメラであることを特徴とする請求項２に記載のキット。
【請求項４】
カメラの拡大率が3〜15の範囲であることを特徴とする請求項２に記載のキット。
【請求項５】
カメラが、組み込み光源を備えることを特徴とする請求項２に記載のキット。
【請求項６】
カメラが、白色光源を備えることを特徴とする請求項５に記載のキット。
【請求項７】
カメラが、作動する自動ホワイトバランスを有していないことを特徴とする請求項１に記載のキット。
【請求項８】
カメラが、肌に対して当てることができることを特徴とする請求項２に記載のキット。
【請求項９】
分析システムが、カメラによって伝送された画像を、モノクロ画像、例えば緑と黒の画像に、緑信号を使用して変換し、モノクロ画像の少なくとも一部の平均明度を決定するように構成されることを特徴とする請求項１に記載のキット。
【請求項１０】
モノクロ画像が、緑と黒の画像であることを特徴とする請求項９に記載のキット。
【請求項１１】
分析システムが、例えばグラフィクス取得カードに適合し、カメラによって送られる少なくとも一つの画像から、平均視感度を計算するようにプログラムされたマイクロコンピューターを備えることを特徴とする請求項１に記載のキット。
【請求項１２】
分析システムが、平均視感度の値を明度レベルに割り当てることを特徴とする請求項１１に記載のキット。
【請求項１３】
分析システムが対応表を使用し、各明度レベルを平均視感度の値に関連させることを特徴とする請求項１２に記載のキット。
【請求項１４】
明度レベルの数が、2よりも大きいことを特徴とする請求項１に記載のキット。
【請求項１５】
明度レベルの数が、3〜25の範囲であることを特徴とする請求項１４に記載のキット。
【請求項１６】
明度レベルの数が、6〜12の範囲であることを特徴とする請求項１４に記載のキット。
【請求項１７】
明度レベルの数が、9であることを特徴とする請求項１４に記載のキット。
【請求項１８】
分析システムが、肌のカラートーンに関連する情報を伝送するように構成されることを特徴とする請求項１に記載のキット。
【請求項１９】
前記情報が、肌の黄色トーンまたは赤色トーンの一つを確定する表示を含むことを特徴とする請求項１８に記載のキット。
【請求項２０】
肌の明度レベルの認識の際に、製品を容易に選択するために少なくとも一つの媒体を備えることを特徴とする請求項１に記載のキット。
【請求項２１】
媒体が、消費者に前記レンジの製品に関連した情報を含む複数のページが見えるように形成されることを特徴とする請求項２０に記載のキット。
【請求項２２】
媒体が、印刷された様々な識別子を有するインデックスタブを載せて、組み合わせたシートから成る小冊子を備えることをことを特徴とする請求項２０に記載のキット。
【請求項２３】
媒体が、顔の個々の部分に対応し且つ、顔の一部分のメイクアップの外観を変えることができ、その間はメイクアップを（複数の）別のパネルに対応する顔の別の（複数の）部分に変えないでそのままにできるパネルから成ることを特徴とする請求項２０に記載のキット。
【請求項２４】
媒体が、顔の半分に対応したパネルから成ることを特徴とする請求項２２に記載のキット。
【請求項２５】
媒体が、顔の半分に対応するパネル、例えば目のメイクアップに対応する上部パネルと唇及び頬のメイクアップに対応した下部パネルを備えることを特徴とする請求項２４に記載のキット。
【請求項２６】
少なくとも一つの明度レベルに関して、部材が顔の同じ部分に対応した少なくとも二つの連続したパネルから成り、それらのパネルの各々がその表面に顔の画像を、その裏面に目または頬のためのメイクアップ製品に関連する情報を有し、パネルは、一方のパネルの裏面に載った製品が直ぐ次のパネルの表面に示されたメイクアップに対応するように、形成されることを特徴とする請求項２２に記載のキット。
【請求項２７】
媒体は、シュミレーションに使用される（複数の）製品と同じスクリーンページに、メイクアップのシュミレーションを同時に映し出すことができるようにプログラムされたソフトウェアを備えることを特徴とする請求項２０に記載のキット。
【請求項２８】
製品の各レンジが、ファンデーション、アイシャドウ、アイライナー、ブラッシングのような肌に塗布する製品、リップスティック、リップペンシルのような粘膜に塗布する製品、マスカラ、まゆげペンシル、コールペンシルのようなまつげまたは眉毛に塗布する製品、マニキュアのような爪に塗布する製品を含むことを特徴とする請求項１に記載のキット。
【請求項２９】
肌の明度を分析するシステムであり：
肌の少なくとも一つの画像を取得できるカメラと；
カメラによって取得された少なくとも一つの画像を処理し、明度の測定レベルに関連した識別子を伝送するように作られたプロセッサと；
を備え、
識別子が：
プロセッサによって伝送できる明度の個々に異なるレベルに関連した製品の複数のレンジで、製品に；または、
プロセッサによって伝送できる明度の異なるレベルに個別に関連した製品の複数のレンジで、製品参照する媒体に；
現すことを特徴とするシステム。
【請求項３０】
化粧による処理方法であり：
識別子を消費者に関連させ、識別子が消費者の肌の明度レベルを識別できるようにすること；
前記識別子を関数として、明度レベル識別子によって識別された製品のレンジのセットから、少なくとも一つの化粧品を選択すること；
選択された（複数の）製品で消費者をメイクアップすること；
を含むことを特徴とする方法。
【請求項３１】
肌、爪または粘膜のメイクアップに関連することを特徴とする請求項３０に記載の方法。
【請求項３２】
化粧品のレンジのセットを制作する方法であり、製品を適切なものにするため、レンジの各製品に肌の明度レベルに対応した識別子に配置することを特徴とする方法。
【請求項３３】
前記製品が、肌、粘膜及び爪の少なくとも一つをメイクアップする製品であることを特徴とする請求項３２に記載の方法。
【請求項３４】
識別子が、製品を含んだ容器に貼り付けられるか、または印刷されるラベルに現れたサインであることを特徴とする請求項３２に記載の方法。
【請求項３５】
化粧品のレンジのセットを制作する方法であり、
識別子をレンジおける各製品に割り当てるため、製品を適切なものにするように識別子が肌の明度レベルに対応しており、識別子の割り当てが、少なくとも一つの参照を明度レベルの識別子を有した対応表に入れることによって行われることを含むことを特徴とする方法。
【請求項３６】
前記製品が、肌、粘膜及び爪の少なくとも一つをメイクアップする製品であることを特徴とする方法。
【請求項３７】
表が、紙タイプの書類とコンピュータータイプの少なくとも一つから成ることを特徴とする請求項３５に記載の方法。
【請求項３８】
美容アドバイスを提供する方法であり、
識別子が消費者の肌の明度レベルを識別でき、その識別子と消費者を関連させること、
前記識別子を関数として、少なくとも一つの化粧品を、明度レベル識別子によって識別される製品のレンジのセットからアドバイスすること、
を含むことを特徴とする方法。
【発明の詳細な説明】
【技術分野】
【０００１】
本発明はメイクアップとケアの分野に関連するものである。
【背景技術】
【０００２】
多数の様々な製品の注文があるので、消費者の肌の色に適切な化粧品、例えばメイクアップをお客に選択することは、現在難しいであろう。
【発明の開示】
【発明が解決しようとする課題】
【０００３】
本発明の目的は、消費者の肌色に合致した化粧品の選択を容易に行えるようにすることである。
【課題を解決するための手段】
【０００４】
この要求を、本発明によるキットによって満足させる。そのキットは：
化粧品の複数のレンジを備え、各レンジが肌の肌色の共通レベルに関連した製品のセットを含み、明度レベルを識別子によって識別し；
肌の少なくとも一つの画像を分析し、分析された肌の明度レベルの識別子の表示を送るように構成された分析システムを備え、その識別子が製品の前記レンジの識別子の一つである。
【０００５】
“化粧品”の定義は、EEC評議会指令76／768の第六修正である、1993年6月のEEC評議会指令で行われている。
【０００６】
化粧品が、肌、爪、及び粘膜をメイクアップする製品と、老化のサインを減らし、肌を保護するか保湿するために作用するケア製品とから成る。
【０００７】
用語“伝送装置”は、可視または可聴メッセージを発生させる手段、例えば情報を発光ダイオード（LED）ディスプレイ、ブラウン管（CRT）、液晶または別のタイプのスクリーンで標示し、情報をプリントし、分析を行う屋内でスピーカーを介して音か、例えば電話或いはコンピューター通信または物理的な手紙によって情報を遠方へ送る手段に使用される。
【０００８】
用語“識別子”は、明度、例えば一つかそれ以上の書き込み文字、例えば英数字、絵文字、一つかそれ以上の色、一つかそれ以上の起伏した領域のレベルを、特別なパッケージングの形で、識別するために使用できる何らかのサインを意味するように使用されている。識別子は製品のパッケージング上で見える必要はない。それは例えばソフトウェアタイプの媒体に、例えばスクリーンページに、対応する明度レベルに関連した製品用の商業的な表示に関連して示され得る。
【０００９】
本発明によって、肌色に適合するメイクアップの選択は、消費者が自身の明度レベルに気付くので、容易に行われるか、消費者に助言する人が、対応するレンジをメイクアップする少数の製品から選択でき、それによって適時に充分作用して、更なる信頼性をもたらし、不適切なメイクアップまたはケア製品を選択する恐れを減らすか、またはなくす。
【００１０】
明度レベルは、基準の色空間、例えばCIE 1976（L*a*b）色空間に関連して表現する必要はない。明度レベルは随意に、CIE 1976（L*a*b）色空間で精神測定学的な明度の値のレンジに関連し得る。
【００１１】
分析システムは、例えば分析を行う場所、一例として販売所、美容院または消費者の家を関数として、様々な形式で実行され得る。
【００１２】
有利には分析システムが、カメラ、好ましくは肌の少なくとも一つの画像を光学的に拡大して取得できるカラーカメラを備えている。
【００１３】
一例として、拡大率はレンジ3〜15であり得る。
【００１４】
カラーカメラは、赤、緑、青の信号を伝送するように構成され得る。
【００１５】
有利にはカメラが、それに組み込まれる光源、例えば白色光源を具備し、例えば画像を取得している間に肌に対して適切に押して、焦点合わせを容易にするように構成され得る。
【００１６】
カメラは安価なカメラでよい。
【００１７】
カメラは、ワイヤーまたはワイヤレスリンクを介して分析システムのリマインダーに接続され得る。適切には画像が電話またはコンピューターネットワークによって、分析システムのリマインダーに送信され得る。
【００１８】
好ましくはカメラは、自動ホワイトレベルバランスを具備していないか、もし具備していても作動させない。
【００１９】
本発明の実行の場合、分析システムがカメラによって伝送された画像を、モノクロ画像、例えば緑と黒の画像に、緑信号を使用して変換し、モノクロ画像の少なくとも一部の平均視感度（すなわち光の相対的な量）を決定するように構成されている。またモノクロカメラも使用可能である。
【００２０】
分析システムは、例えばグラフィクス取得カードに適合し、カメラによって送られる少なくとも一つの画像から、平均視感度を計算するようにプログラムされたメイクロコンピューターを備え得る。計算は実時間で行われ得る。
【００２１】
分析システムは、例えば対応表を使用する方法で計算される平均視感度の値と、明度レベルを関連させるように構成されており、対応表では明度の各レベルを平均視感度の値のレンジに関連させている。
【００２２】
平均視感度は、画像の全体又は少なくとも一部分にわたって計算され得、例えば複数の画像を取得した後、平均視感度をそれら各々に関して計算し、その平均視感度をこの方法で得た平均値を得ることで、計算される。
【００２３】
明度の値の数は2よりも大きく、例えば3〜25であり、有利には6〜12、例えば9である。
【００２４】
分析システムが、適切には肌のカラートーンに関連する情報、肌の黄色トーンまたは赤色トーンを表す表示を伝送するように構成されている。
【００２５】
この表示は、例えば明度レベルに関する識別子に加えて、前記レンジのおける各製品に、または製品の参照、例えばその商業的な参照を含んだ媒体に示され得る。
【００２６】
本発明の別の概念で、キットが肌の明度レベルを与えることで製品の選択を容易にする、少なくとも一つの媒体を具備する。
【００２７】
この媒体は、例えば“紙”の形または“ソフトウェア”の形でもよい。
【００２８】
媒体が消費者に、前記レンジの製品に関連した情報を含む複数のページを見せることができるように構成され得る。
【００２９】
紙を利用すると、媒体が例えば印刷された様々な識別子を有するインデックスタブを載せて、組み合わせたシートから成る小冊子の形をしており、関連する識別子に対応したレンジにおける製品に、タブが素早くアクセスさせる。
【００３０】
媒体は、レンジにおける所望の製品で得られるメイクアップの効果を示すためにも構成され得る。
【００３１】
例えば、媒体が顔の個々の部分に対応し且つ、顔の一部分のメイクアップの外観を変えることができ、その間は（複数の）別のパネルに対応する顔の別の（複数の）部分の外観を変えないでそのままにするパネルから成る。
【００３２】
一例として、媒体は顔の半分に対応するパネル、例えば目のメイクアップに対応する上部パネルと唇及び頬のメイクアップに対応した下部パネルを備え得る。
【００３３】
少なくとも一つの明度レベルに関して、媒体が顔の同じ部分に対応した少なくとも二つの連続パネルから成り、パネルの各々が顔の画像をその表面に、メイクアップに関する情報をその裏面に載せている。パネルは、一つのパネルの裏面で載った製品が、直ぐに次のパネルの表面に示されるメイクアップの結果に対応するように構成され得る。
【００３４】
そのような媒体は、消費者に顔の頂部と底部をメイクアップした様々な組み合わせの結果を見せることができ、メイクアップできる製品を素早く識別することも可能である。
【００３５】
媒体はソフトウェアの形で、メイクアップのシュミレーションを、シュミレーションに使用される（複数の）製品と同じスクリーンページで、同時に表示できるようにプログラムされている時、似た結果を得ることができる。
【００３６】
ソフトウェアは、カメラ又はスキャナーによって、或いはコンピューターファイルによってそのような画像を取得した後、メイクアップのシュミレーションを消費者の画像で行えるように適応させることができる。
【００３７】
媒体上に見られる製品に関する情報は、例えば製品の色のサンプル、製品の表示番号及び／または商標、製品を肌に塗る時に製品を受ける表面の特徴、例えば肌の特徴を含んみ得る。媒体は例えば、製品を指定するため、所望の製品に関して少なくとも肌のタイプ、すなわち乾燥肌、正常な肌、正常から混合肌、
全てのタイプの肌、混合肌を明記し得、そして／または好ましくは製品が老化防止効果を生じるかを示す。
【００３８】
媒体は、製品の形式に関連した情報と、例えばそれが液体または固体の形であるのか、例えば粉末または小型であるかの表示も含み得る。
【００３９】
媒体は、製品が作用して例えばタンニングタイプ、適合トーンまたは明るくするタイプのメイクアップを提供するカラートーンに関する情報も含み得る。
【００４０】
製品の各レンジは、ファンデーション、アイシャドウ、アイライナー、ブラッシングのような肌に塗布する製品、リップスティック、リップペンシルのような粘膜に塗布する製品、マスカラ、まゆげペンシル、コールペンシルのようなまつげまたは眉毛に塗布する製品、マニキュアのような爪に塗布する製品を含み得る。
【００４１】
別の概念で、本発明は肌の明度を分析するシステムも提供し、そのシステムは：
肌の少なくとも一つの画像を取得できるカメラと；
カメラによって取得された少なくとも一つの画像を処理し、明度の測定レベルに関連した識別子を伝送するように作られたプロセッサと；
を備え、
識別子が：
プロセッサによって伝送できる明度の個々に異なるレベルに関連した製品の複数のレンジで、製品に；または、
プロセッサによって伝送できる明度の異なるレベルに個別に関連した製品の複数のレンジで、製品参照する媒体に；
現す。
【００４２】
別の概念で、本発明は例えば肌、爪、または粘膜をメイクアップする、化粧による処理方法を提供し、その方法は：
識別子を消費者に関連させ、識別子が消費者の肌の明度レベルを識別できるようにすること；
前記識別子を関数として、明度レベル識別子によって識別された製品のレンジのセットから、少なくとも一つの化粧品を選択すること；
選択された（複数の）製品で消費者をメイクアップすること；
を含む。
【００４３】
本発明は、美容アドバイスを与える方法も提供し、その方法は：
識別子を消費者に関連させ、識別子が消費者の肌の明度レベルを識別できるようにすること；
前記識別子を関数として、明度レベル識別子によって識別された製品のレンジのセットから、少なくとも一つの化粧品をアドバイスすること；
を含む。
【００４４】
本発明は、化粧品、例えば肌、粘膜及び爪をメイクアップする製品のレンジのセットを制作する方法も提供し、その方法はレンジの各製品に、肌の明度レベルに対応した識別子を付け、それにより製品も適切なもにすることを含む。
【００４５】
一例として、識別子が製品を含む容器に貼り付けるか、または印刷されるラベルに現れるサインでもよい。
【００４６】
化粧品、例えば肌、粘膜、爪をメイクアップする製品のレンジのセットを制作し、製品が好適なものになるように、レンジの各製品に肌の明度レベルに対応した識別子を割り当てる方法も提供し、例えば少なくとも一つの参照、例えば製品上の商業的な参照を、明度レベルの識別子を有した対応表に置くことによって、識別子が割り当てられる。対応表が、紙のタイプまたはコンピューターファイルの書類でもよい。
【発明を実施するための最良の形態】
【００４７】
本発明は、その実施を制限しない以下の詳細な記載を読み、記載と一致する部分を形成する添付図面を参照することで、より理解できるであろう。
【実施例１】
【００４８】
図１が、本発明に関して作られた分析システム１の概略図であり、カメラ２とカメラから伝送される情報を処理するプロセッサ手段３とを備え、図１に示されているプロセッサシステムは、スクリーン４を有するメイクロコンピューターの形をしている。
【００４９】
メイクロプロセッサは、いずれか既知のタイプであってもよく、記載の実施例に置いて、カメラ２により伝送される画像を処理を目的に獲得できる、グラフィクス取得カードを具備している。
【００５０】
適切には、メイクロコンピューター３がインターネットのようなコンピュータネットワークを介してリモートサーバーに接続されており、それによって情報を交換し、そして例えばリモートサーバーに、メイクロコンピュータによって取得され且つ処理される画像に関連した情報を記憶できる。
【００５１】
カメラ２が好ましくは、組み込み照明と、数倍に拡大する光学システムとを具備したカラーカメラである。
【００５２】
一例として、分析システム１が売場または美容院に存在する。
【００５３】
分析システム１は、消費者の家にあってもよい。この場合、カメラによって取得される画像の処理は、少なくとも肌の画像をサーバーへ送った後、消費者の家または遠方で行われ得る。
【００５４】
本発明によると、分析システム１が少なくとも一つの画像を取得した後に識別子５を、例えばスクリーン４に映し出される英数字のメッセージの形で送れるように構成されている。
【００５５】
英数字５は、化粧品のレンジにおいて製品にも配置され得、消費者に対応する明度レベルにまさに適応する製品を識別できるようにする。変形例において、識別子５が製品に配置されていなくても、識別子に関連した製品を決定できる手段を提供し、例えばそれは下記のような媒体の形をした手段である。
【００５６】
好ましくは、集団に見られる明度レベルの全てが、かなり少さな数字の識別子に対応し、例えばその数字はレンジ6〜12であり、記載の例では9である。
【００５７】
当然、識別子の数字は地理学的な領域、例えばそこに見られる異なる人種の数に依存し得る。
【００５８】
識別子の別の数字を、例えばアジア、北アメリカ及びヨーロッパの消費者に提案することが可能である。
【００５９】
記載の例において、識別子5の各々が一つかそれ以上の文字と数字から成る英数字の字体の形をしており、識別子は例えばCi1、Ci2、Ci3、...、Ci8、Ci9から選択される。
【００６０】
図２は、分岐システム１の変形を示しており、それは自己所有携帯装置の形をして、ディスプレイ４、カメラ及び示していないプロセッサ手段を具備している。
【００６１】
適切には分析システムは、例えばWi-Fi（商標）またはBluetoooth（商標）のコンピューターまたは携帯端末によって、ワイヤレスリンクを介して情報交換もし得る。
【００６２】
分析システムは、カメラに取り付けられ、一旦校正されると、肌の明度レベルに対応する識別子を映し出すために、カメラによって取得された画像を処理できるようにプログラムされた、携帯端末、例えば移動電話も備える。
【００６３】
好適には画像取得中に、移動電話が組み込み光源と拡大光学システムを具備した光学装置と関連し得る。
【００６４】
別の変形例では、肌の画像を取得し、電話ネットワークを介して、画像を処理し且つ識別子を戻すように伝送するために構成されたリモートサーバーへ、画像を送る携帯端末が使用可能である。
【００６５】
図３を参照して、分析システム１が動作する方法の一例を以下に記載する。
【００６６】
一つかそれ以上の画像１０が、カメラ２によって取得され、適切に分析システム１において記録される。
【００６７】
（複数の）カラー画像は、緑色信号だけを使用することによって、モノクロ画像に変換される。使用されるカメラは自動ホワイトバランスを有してなく、もし有していても作動させない。
【００６８】
各モノクロ画像に関して、平均視感度ｉmが決定され、複数の画像を取得すると、平均値ｉmの平均を校正できる。
【００６９】
更に分析システム１は、メモリー内にデータベースを有するか、またはデータベースにアクセスでき、そこには映し出される各識別子５と平均視感度値ｉmのレンジとの間に、対応表１１が記録される。
【００７０】
この対応表１１は、例えば分析システム１を校正する段階中には、カメラ２に参照明度レベルを有するサンプルのセットを連続して見せることによって、予め画定されている。
【００７１】
測定された平均視感度ｉmと対応表１１を関数として、分析システム１が対応する識別子を伝送する。
【００７２】
当然、例えばモノクロ画像を使用しないで、例えばカメラ２によって取得される画像におけるカラー信号の全てを使用して、より複雑な処理を行う時、明度レベルを別の方法で決定することに関しても、本発明の概念の範囲内である。
【００７３】
カメラ２による複数の画像の取得は有利には、顔または身体の別の領域で取得できる。取得システムは、例えば額からと頬から画像を取得するために使用できる。
【００７４】
カメラ２によって取得される各画像は、オペレータが照合できるようにスクリーン４上に映し出すことができ、画像は良好な状態で取得される。
【００７５】
適切にはモザイクをスクリーン４上に映し出すことができ、カメラによって取得された画像の全てを示し、画像は明度レベルを決定するため分析システムによって処理される。
【００７６】
好適に一旦明度レベルが決定されると、対応する情報をコンピューターまたは電話ネットワークを介して、名前または関連する人を識別できる別の手段と共に情報を転送するリモートサーバーへ送ることができ、人に適切な製品を自動的に提案することが可能である。
【００７７】
識別子５が分かると、消費者または消費者にアドバイスする人が、本発明により、個々に異なり得る明度レベルに関連した製品のレンジを提供することによって、明度レベルに適合した製品の選択をより容易にする。
【００７８】
明度レベルＣi1を有するユーザーが、例えば明度レベルＣi1に関連したレンジにおいて、数ある製品中から選び得、製品は図４に示されているように個々にＣil識別子を持つ。
【００７９】
任意の識別子Ｃi...は、様々な方法で対応製品に付けることができ、例えば識別子は製品を含んだパッケージングまたは容器自体に印刷できるか、或いはパッケージングまたは容器に貼り付けるラベルに現される。適切には識別子は製品に直接現す必要はなく、例えば対応表が利用され得る。
【００８０】
消費者の選択を助けるため、図５及び図６に示されているような媒体２０が、ユーザーが利用可能である。
【００８１】
媒体２０は小冊子の形をしており、例えばシートまたはパネルを組み合わせたセットから成っている。
【００８２】
小冊子はユーザーを、ユーザーの明度レベルに対応するレンジに素早くアクセスできるように識別手段を含んでいる。図示の例において、それらの識別手段は、インデックスタブ２２から成っており、その各々がそこに印刷された対応の明度レベルを有している。
【００８３】
好ましくは、メイクアップの効果をユーザーに見えるようにするため、媒体２０が顔全体を示すように並置して、且つ顔の個別の部分に関連させることができるパネル、例えば上部パネル２１ａと下部パネル２１ｂから成っており、目と鼻の頂部が上部パネル２１ｂの表面に示されており、鼻、頬及び唇が下部パネル２１ｂの表面に示されている。
【００８４】
パネル２１ａ及び２１ｂの裏面は、次のパネルの表面に示されたメイクアップにするために使用される製品に関連した情報を載せている。
【００８５】
それによりユーザーが小冊子を開くと、右側のページに示されたメイクアップに対応する左側のページ上の情報を読むことができ、対応するパネルをめくることによって、任意に顔の上部分または下部分におけるメイクアップを変えることができる。
【００８６】
並置できる二つのパネルの裏面に表された情報の例が、図７に示されている。
【００８７】
この情報は、例えば製品の色のサンプルと参照番号または商標とから成り得る。
【００８８】
媒体２０は、図８及び図９に一例として示された種類のページも含み得る。
【００８９】
それらのページは、そのフォーム、例えば流体、コンパクト、コンパクトパウダー、またはルーズパウダーによって分類される例えばファンデーションのような、製品の族、肌の各タイプ、例えば乾燥した肌、正常な肌、正常から混合肌、全てのタイプの肌、または所望の効果、例えば老化防止／スムーシングに関連する情報を載せ得る。色は得られる効果、例えばタンニング、適合トーンまたはライトニングを関数として識別され得る。
【００９０】
媒体２０は、紙の形式に制限されるものではなく、媒体はソフトウェア形式でもよく、例えばそれは、ＣＤロムのようなコンピューター媒体に記録されるか、ｅメールによってファイルの形でコンピューターへ伝送されるので、肌の分析後に消費者へ送ってもよい。
【００９１】
勿論、本発明は上記の例に限定されるものではなく、肌の別の分析を行うこと、例えばその水和作用、その皮脂含有量などを測定を同時に行うことによって、肌の明度レベルが測定できる。
【００９２】
記載を通して、用語“から成る（comprising a）”は“少なくと一つから成る（comprising at least one）”と同意語と理解すべきであり、それと逆には定義されない。
【００９３】
ここで本発明が、特別な実施例に関して記載されているとしても、それらの実施例は本発明の原理と応用を単に図示したものであると理解されよう。従って多数の変形例が図示の実施例に対して行われ得、添付の請求項によって定義されたような本発明の精神と範囲内で、別の構成を工夫しても良い。
【図面の簡単な説明】
【００９４】
【図１】本発明の実施例を構成する分析システムの概略的且つ断片的な図。
【図２】図１の分析システムの変形例。
【図３】動作時の分析システムの一例を図示したブロック図。
【図４】明度レベルを識別できる識別子を含んだ化粧品の一例。
【図５】明度レベルの認識の際に製品を選択することを更に容易にする媒体の一例。
【図６】図５における矢印Ｐによって示されたトップパネルの一つをめくった後の図５の媒体。
【図７】並置できる二つパネルの裏の詳細図。
【図８】異なる明度レベルに対して個々に適応した製品の二つのレンジにおいて、ファンデーションメイクアップに関してマークされた情報を有するページの一例。
【図９】異なる明度レベルに対して個々に適応した製品の二つのレンジにおいて、ファンデーションメイクアップに関してマークされた情報を有するページの一例。
【符号の説明】
【００９５】
１    分析システム
２    カメラ
３    プロセッサ手段
４    スクリーン
５    識別子
１０  画像
１１  対応表
２０  媒体
２１ａ上部パネル
２１ｂ下部パネル
２２  インデックスタブ
【図１】
2005169085.tif 000003
【図２】
2005169085.tif 000004
【図３】
2005169085.tif 000005
【図４】
2005169085.tif 000006
【図５】
2005169085.tif 000007
【図６】
2005169085.tif 000008
【図７】
2005169085.tif 000009
【図８】
2005169085.tif 000010
【図９】
2005169085.tif 000011
【外国語明細書】
2005169085.tif 000012
2005169085.tif 000013
2005169085.tif 000014
2005169085.tif 000015
2005169085.tif 000016
2005169085.tif 000017
2005169085.tif 000018
2005169085.tif 000019
2005169085.tif 000020
2005169085.tif 000021
2005169085.tif 000022
2005169085.tif 000023
2005169085.tif 000024
2005169085.tif 000025
2005169085.tif 000026
2005169085.tif 000027
2005169085.tif 000028
2005169085.tif 000029
2005169085.tif 000030
2005169085.tif 000031
2005169085.tif 000032
2005169085.tif 000033
2005169085.tif 000034
2005169085.tif 000035
2005169085.tif 000036
2005169085.tif 000037
2005169085.tif 000038